(57)【要約】【課題】番号通知を伴う着信があったとき、外部端末のアドレス情報を報知することのできるハンズフリー通話装置を提供する。【解決手段】外部端末と通信可能な複数台の端末と信号の送受信を行う送受信部を備え、前記複数の端末のうち１台の端末を制御して前記外部端末とハンズフリー通話を行うハンズフリー通話装置において、前記外部端末から番号通知を伴う着信があったとき、前記着信を受けた前記端末に登録されているアドレス情報から、前記外部端末に対応したアドレス情報を検索する検索部を備え、該検索部は、前記外部端末に対応するアドレス情報が検索できないとき、他の前記端末に登録されているアドレス情報から前記外部端末に対応したアドレス情報を検索し、検索により前記アドレス情報が取得できた場合、取得した前記アドレス情報を報知部を介して報知する。【選択図】図２
2012160842.tif 000002
【特許請求の範囲】
【請求項１】
外部端末と通信可能な複数台の端末と信号の送受信を行う送受信部を備え、前記複数の端末のうち１台の端末と前記外部端末との通話を制御するハンズフリー通話装置において、
前記外部端末から番号通知を伴う着信があったとき、前記着信を受けた前記端末に登録されているアドレス情報から、前記外部端末に対応したアドレス情報を検索する検索部を備え、該検索部は、前記外部端末に対応するアドレス情報が検索できないとき、他の前記端末に登録されているアドレス情報から前記外部端末に対応したアドレス情報を検索し、検索により前記アドレス情報が取得できた場合、取得した前記アドレス情報を報知部を介して報知することを特徴とするハンズフリー通話装置。
【請求項２】
請求項１記載のハンズフリー通話装置において、
複数の前記端末毎の前記アドレス情報を記憶する記憶部を備え、前記検索部は、前記記憶部に記憶されている前記アドレス情報を検索することを特徴とするハンズフリー通話装置。
【発明の詳細な説明】
【技術分野】
【０００１】
本発明は、ハンズフリー通話装置に関し、特に、登録されている受信端末を制御して送信端末とハンズフリー通話を行うハンズフリー通話装置に関する。
【背景技術】
【０００２】
近年、携帯電話の著しい普及乃至高機能化に伴い、歩行中に携帯電話を使用するだけでなく、車両による移動中やパソコンでの作業中に携帯電話を使用する状況が増加している。しかしながら、特に車両による移動中にドライバが携帯電話を使用することは、安全面において非常に問題となり、法令により禁止事項とされている。
【０００３】
このような状況に対処するため、ハンズフリーの状態で通話を行うことのできるハンズフリー通話装置が開発されている。例えば、下記特許文献１（特開２００２−２２３２８８号公報）には、車両に搭載可能なハンズフリー通話装置が開示されている。このハンズフリー通話装置では、携帯電話の電話番号を用いて複数の携帯電話をハンズフリー通話用の携帯電話として登録し、いずれかの携帯電話に着信があったとき、登録されている携帯電話の１つを選択してハンズフリー通話を行うことができる。
【０００４】
一方、携帯電話には、送信端末の電話番号等を受信端末である携帯電話のディスプレイに表示させる番号通知の機能がある。下記特許文献２（特開２００９−８１５２５号公報）には、この番号通知の機能を利用し、送信端末から携帯電話に番号通知を伴う着信があったとき、携帯電話が接続されてハンズフリー通話を行うことのできる車載装置に、送信端末の電話番号に対応する送信者の名称等のユーザ情報を送信し、その情報を表示装置に表示することのできる車載装置が開示されている。
【先行技術文献】
【特許文献】
【０００５】
【特許文献１】特開２００２−２２３２８８号公報（段落［００２２］、［００３６］〜［００３８］）
【特許文献２】特開２００９−８１５２５号公報（段落［００５０］〜［００５２］）
【発明の概要】
【発明が解決しようとする課題】
【０００６】
しかしながら、上記特許文献２の場合、表示のためのユーザ情報が携帯電話に登録されていることが前提となる。従って、送信端末のユーザ情報が未登録の場合、例えば、受信者が携帯電話のアドレス帳を更新していない場合や、送信者が受信者の友人から取得した電話番号に基づいて電話を掛けてきた場合には、ユーザ情報を表示させることができないため、受信者は送信者を確認することができない。
【０００７】
本発明は、上記の問題点を解消することを課題とするものであり、番号通知を伴う着信があったとき、送信端末のユーザ情報を報知することのできるハンズフリー通話装置を提供することを目的とするものである。
【課題を解決するための手段】
【０００８】
前記課題を解決するために、本願の請求項１にかかる発明は、外部端末と通信可能な複数台の端末と信号の送受信を行う送受信部を備え、前記複数の端末のうち１台の端末と前記外部端末との通話を制御するハンズフリー通話装置において、
前記外部端末から番号通知を伴う着信があったとき、前記着信を受けた前記端末に登録されているアドレス情報から、前記外部端末に対応したアドレス情報を検索する検索部を備え、該検索部は、前記外部端末に対応するアドレス情報が検索できないとき、他の前記端末に登録されているアドレス情報から前記外部端末に対応したアドレス情報を検索し、検索により前記アドレス情報が取得できた場合、取得した前記アドレス情報を報知部を介して報知することを特徴とする。
【０００９】
本願の請求項２にかかる発明は、請求項１記載のハンズフリー通話装置において、登録されている前記受信端末毎の前記アドレス情報を記憶する記憶部を備え、前記検索部は、前記記憶部に記憶されている前記アドレス情報を検索することを特徴とする。
【発明の効果】
【００１０】
請求項１にかかる発明においては、外部端末と通信可能な複数台の端末と信号の送受信を行う送受信部を備え、前記複数の端末のうち１台の端末と前記外部端末との通話を制御するハンズフリー通話装置において、
前記外部端末から番号通知を伴う着信があったとき、前記着信を受けた前記端末に登録されているアドレス情報から、前記外部端末に対応したアドレス情報を検索する検索部を備え、該検索部は、前記外部端末に対応するアドレス情報が検索できないとき、他の前記端末に登録されているアドレス情報から前記外部端末に対応したアドレス情報を検索し、検索により前記アドレス情報が取得できた場合、取得した前記アドレス情報を報知部を介して報知する。
【００１１】
このように構成することにより、着信のあった端末に外部端末のアドレス情報が登録されていない場合であっても、他の端末に登録されている外部端末のアドレス情報を取得してユーザに報知することができる。これにより、外部端末のアドレス情報が登録されておらず、あるいは、アドレス情報が更新されていない場合であっても、外部端末のユーザ情報を確認することが可能となる。
【００１２】
請求項２にかかる発明においては、請求項１に記載のハンズフリー通話装置において、登録されている複数の受信端末のアドレス情報を記憶部に記憶させておき、これらのアドレス情報から該当する外部端末のアドレス情報を取得してユーザに報知することができる。
【図面の簡単な説明】
【００１３】
【図１】本発明の実施例にかかる車両に搭載されるハンズフリー通話装置の説明図である。
【図２】本発明の実施例にかかるハンズフリー通話装置の構成ブロック図である。
【図３】本発明の実施例にかかるハンズフリー通話装置により制御される携帯端末の構成ブロック図である。
【図４】本発明の実施例にかかるハンズフリー通話装置によるハンズフリー通話の処理フローチャートである。
【図５】本発明の実施例にかかるハンズフリー通話装置によるハンズフリー通話の処理フローチャートである。
【図６】本発明の実施例にかかるハンズフリー通話装置によるハンズフリー通話の処理フローチャートである。
【図７】本発明の実施例にかかるハンズフリー通話装置におけるメニュー画面の説明図である。
【図８】本発明の実施例にかかるハンズフリー通話装置に登録されている受信端末の登録画面の説明図である。
【発明を実施するための形態】
【００１４】
以下、本発明の具体例を実施例及び図面を用いて詳細に説明する。但し、以下に示す実施形態は、本発明の技術的思想を具体化するためのハンズフリー通話装置を例示するものであって、本発明をこのハンズフリー通話装置に特定することを意図するものではなく、特許請求の範囲に含まれるその他の実施形態のハンズフリー通話装置にも等しく適応し得るものである。
【実施例】
【００１５】
図１は、本発明の実施例にかかるハンズフリー通話装置の説明図である。ハンズフリー通話装置は、車両１０に搭載されるナビゲーション装置１１であり、ナビゲーション装置１１を介して、複数台の携帯電話Ａ、Ｂ(登録端末)と、外部の携帯電話Ｃ（外部端末）とが通信可能に構成される。携帯電話Ａ、Ｂは、予めナビゲーション装置１１に登録され、車両１０に持ち込まれる端末である。
【００１６】
ナビゲーション装置１１を介して、外部の携帯電話Ｃとハンズフリー通話を行うためには、ナビゲーション装置１１に対して、携帯電話Ａ、Ｂを事前に登録しておく必要がある。
【００１７】
ハンズフリー機能を有したナビゲーション装置１１は、車両のエンジンＯＮに伴い、装置が起動されると、常時、周辺機器（携帯電話Ａ、Ｂ）から送信される信号を待ち受ける状態となり（周辺機器の存在を監視する状態）、また、ハンズフリー機能を有した携帯電話Ａ、Ｂにおいては、ハンズフリー機能の設定がＯＮ（ユーザによる任意設定）の状態であれば、常時、周辺に対して信号を送信し続ける。従って、ハンズフリー機能の設定がＯＮ状態である携帯電話Ａ、Ｂが、ハンズフリー機能を有したナビゲーション装置１１の近辺（例えば、車両１０内）にある場合、ナビゲーション装置１１は、携帯電話Ａ、Ｂの存在を検知することができる。そして、車両１０内にある携帯電話Ａ、Ｂに対して外部の携帯電話Ｃから着信があった場合、携帯電話Ａ、Ｂと接続し、ハンズフリー通話を開始することが可能となるのだが、このとき、接続された携帯電話Ａ、Ｂのユーザがハンズフリー機能を使用する意思がない場合もある。
【００１８】
例えば、ハンズフリー通話を行うと、携帯電話Ｃのユーザの声が車両１０内に聞こえてしまうため、同乗者がいるような場合、携帯電話Ｃのユーザとの会話を聞かれたくないと思うユーザもいる。
【００１９】
このため、ナビゲーション装置１１を介したハンズフリー通話を行う意思があるユーザについては、所有する携帯電話Ａ、Ｂをナビゲーション装置１１に対して事前に登録しておき、登録された携帯電話Ａ、Ｂへの着信時のみハンズフリー通話を許可する仕組みとなっている。
【００２０】
図２は、ナビゲーション装置１１の構成ブロック図であり、図３は、ナビゲーション装置１１に接続可能な携帯電話Ａ、Ｂの構成ブロック図である。
【００２１】
ナビゲーション装置１１は、車両１０の現在位置を検出して地図画像とともに表示部２３に表示し、ユーザが目的地まで移動するための支援を行う機能を備えるとともに、車両１０に持ち込まれた携帯電話Ａ、Ｂとの間でハンズフリーによる通話制御を行うハンズフリー通話装置である。
【００２２】
ナビゲーション装置１１は、制御部１４、現在位置検出部１５、経路探索部１６、地図情報記憶部１７、アドレス情報記憶部１８（記憶部）、携帯電話登録情報記憶部１９、アドレス情報検索部２０（検索部、要求部）、近距離無線通信部２１（送受信部）、操作部２２、表示部２３（報知部）、マイク２４及びスピーカ２５（報知部）を備えて構成される。
【００２３】
制御部１４は、ＣＰＵ２６、ＲＯＭ２７、ＲＡＭ２８を備えて構成され、ＲＯＭ２７及び／またはＲＡＭ２８に記憶された制御プログラムをＣＰＵ２６が実行することにより、ナビゲーション装置１１の各部の動作を制御・統括する。
【００２４】
現在位置検出部１５は、地球上空を周回している複数のＧＰＳ衛星からの信号を所定の時間間隔で受信し、この信号に含まれている時刻情報及び衛星位置情報に基づいて車両１０の現在位置を算出する。
【００２５】
経路探索部１６は、ユーザが入力した経路探索条件に従い、地図情報記憶部１７に記憶されている地図情報を参照して最適な経路（案内経路）を探索するものである。経路探索部１６は、出発地または現在位置に対応する道路のノードから目的地に対応するノードに至るまでのリンクをダイクストラ法等の手法によって探索し、リンク長（リンクコスト）や所要時間を累積し、総リンク長（走行距離）または総所要時間が最短となる経路を案内経路として探索する。なお、経路探索部１６は、外部の情報提供サーバから通信手段を介して地図情報を取得し、経路探索を行うものであってもよい。また、地図情報とともに経路探索部を外部の情報提供サーバに設置し、ナビゲーション装置１１が外部から案内経路を取得するように構成することもできる。
【００２６】
また、本実施例では、経路探索部１６をＣＰＵ２６とは別の構成として設けているが、これに限るものではなく、ＣＰＵ２６が、ＲＯＭ２７に記憶された経路探索プログラムに基づき、地図情報記憶部１７に記憶された地図情報を参照して最適な経路を探索するものであってもよい。
【００２７】
地図情報記憶部１７は、道路データ、建物データ、背景データ及びテキストデータから構成される地図情報を保持する。道路データは、道路をその屈曲点、分岐点等の結節点をノードとするノードデータと、それぞれのノード間を結ぶ経路をリンクとしたリンクデータとから構成される。ノードデータは、ノード番号、ノードの位置座標、交差点情報や交差点名称を示す情報等のノード属性、接続リンク本数、接続リンク番号のデータを含んで構成される。リンクデータは、リンクの始点及び終点となるノード番号、高速道路や一般道や街路等を区別するための道路種別、それぞれの道路の本線や連結路、分岐路を区別するための道路種別、距離及び／または所要時間、国道○号線のような道路名称、進行方向のデータを含んで構成される。
【００２８】
リンクデータには、上記に加えて、リンク属性として、橋、トンネル、踏切、料金所等のデータが付与される。建物データは、建物の位置座標、駅、ビル、民家等の建物の種別、表示色のデータを含んで構成される。背景データは、海岸線、湖沼、河川形状、山林等の背景画像データとなる位置座標、表示色のデータを含んで構成される。テキストデータは、それぞれの地名や河川名等の文字（名称）、及びその座標のデータを含んで構成される。
【００２９】
アドレス情報記憶部１８は、ナビゲーション装置１１に登録された携帯電話のアドレス情報（ユーザ情報）を記憶する。アドレス情報は、携帯電話Ｃの電話番号、氏名等を記録したものであり、携帯電話Ａ、Ｂから発信する際には、アドレス情報から所望の通話先（携帯電話Ｃ）を選択するために用いられる一方、携帯電話Ｃから着信があったとき、携帯電話Ｃのアドレス情報を表示部２３及び／又はスピーカ２５によりユーザに報知するために用いられる。
【００３０】
携帯電話登録情報記憶部１９は、ナビゲーション装置１１に登録された複数台の携帯電話Ａ、Ｂにかかる登録情報を記憶する。
【００３１】
図８は、ナビゲーション装置１１に登録されている４台の携帯電話にかかる登録情報を示す。登録情報には、登録されている携帯電話Ａ、Ｂの識別情報、携帯電話Ａ、Ｂがナビゲーション装置１１に接続されているか否かを示す接続有無、携帯電話Ａ、Ｂのキャリア、携帯電話Ａ、Ｂに対して割引対象に設定されている通話先の携帯電話の電話番号等が記憶される。
【００３２】
なお、携帯電話Ａ、Ｂの識別情報としては、例えば、機器ＩＤ、アドレス、電話番号等であり、携帯電話Ａ、Ｂを特定することができるものであれば何でもよい。
【００３３】
ナビゲーション装置１１に接続されているか否かを示す情報とは、ナビゲーション装置１１との間でハンズフリー接続を行い、実際に外部の携帯電話Ｃとハンズフリー通話を行う設定がされているか否かの情報である。
【００３４】
ナビゲーション装置１１を介して外部の携帯電話Ｃとハンズフリー通話を行うためには、携帯電話をナビゲーション装置１１に登録したうえで、さらにナビゲーション装置１１との間でハンズフリー接続を行う必要がある。
【００３５】
アドレス情報検索部２０は、ナビゲーション装置１１に登録されている携帯電話Ａ、Ｂに対して、外部の携帯電話Ｃから番号通知を伴う着信があったとき、着信を受信した携帯電話Ａ、Ｂに対応するアドレス情報をアドレス情報記憶部１８から読み出し、着信先である携帯電話Ｃからの着信信号に含まれる識別情報に一致する識別情報を有するアドレス情報を検索するものである。なお、アドレス情報は、必ずしもナビゲーション装置１１のアドレス情報記憶部１８に記憶されている必要はなく、検索を行う際に、個々の携帯電話Ａ、Ｂのアドレス情報記憶部３７（図３）にアクセスして検索するようにしてもよい。
【００３６】
近距離無線通信部２１は、車両１０に持ち込まれた携帯電話Ａ、Ｂとの間で無線通信を行い、携帯電話Ａ、Ｂからアドレス情報及び登録情報を取得するとともに、携帯電話Ａ、Ｂを介して、外部の携帯電話Ｃと通話のための音声情報の送受信を行うものである。近距離無線通信部２１には、例えば、ｂｌｕｅｔｏｏｔｈ、ＷｉＦｉを利用することができる。
【００３７】
操作部２２は、ナビゲーション装置１１の各種操作、例えば、経路探索のための出発地、目的地、経由地等の経路探索条件を入力する手段、携帯電話Ａ、Ｂからアドレス情報を含む必要な情報を取得するための指示を行う手段、携帯電話Ａ、Ｂの登録情報を設定する手段、使用する携帯電話Ａ、Ｂを選択する手段等として機能するものであり、例えば、キーやタッチパネルから構成される。
【００３８】
表示部２３は、車両１０の現在位置、地図画像、案内経路等を表示する手段、通話先のアドレス情報を表示する手段、操作部２２を用いた作業に必要な操作画像を表示する手段等として機能するものであり、例えば、液晶表示パネルから構成される。
【００３９】
マイク２４は、ナビゲーション装置１１に対して音声による指示を行い、また、携帯電話Ａ、Ｂを介して発信先とハンズフリー通話を行う手段である。スピーカ２５は、経路案内情報にかかる音声情報を出力する手段、通話先のアドレス情報を報知する手段、携帯電話Ａ、Ｂを介して通話先の音声を出力する手段である。
【００４０】
図３において、ナビゲーション装置１１に接続される携帯電話Ａ、Ｂは、制御部３０、操作部３１、表示部３２、マイク３３、スピーカ３４、通話送受信部３５、近距離無線通信部３６、及びアドレス情報記憶部３７を備えて構成される。
【００４１】
制御部３０は、ＣＰＵ３８、ＲＯＭ３９、ＲＡＭ４０を備えて構成され、ＲＯＭ３９及び／またはＲＡＭ４０に記憶された制御プログラムをＣＰＵ３８が実行することにより、携帯電話Ａ、Ｂの各部の動作を制御・統括する。
【００４２】
操作部３１は、携帯電話Ａ、Ｂの各種操作、例えば、通話先である携帯電話Ｃの電話番号を入力する手段、ナビゲーション装置１１に対してアドレス情報を送信する指示を行う手段等として機能するものであり、例えば、キーやタッチパネルから構成される。表示部３２は、操作部３１用いた作業に必要な操作画像を表示する手段等として機能するものであり、例えば、液晶表示パネルから構成される。マイク３３は、発信先と通話を行う手段であり、スピーカ３４は、発信先からの音声を出力する手段である。
【００４３】
通話送受信部３５は、外部の携帯電話Ｃと通話のための信号の送受信を行うものである。
【００４４】
近距離無線通信部３６は、ナビゲーション装置１１との間で無線通信を行い、携帯電話Ａ、Ｂのアドレス情報及び登録情報をナビゲーション装置１１に送信するものである。また、近距離無線通信部３６は、ナビゲーション装置１１との間で通話のための音声情報の送受信を行うものである。近距離無線通信部３６には、例えば、ｂｌｕｅｔｏｏｔｈ、ＷｉＦｉを利用することができる。
【００４５】
アドレス情報記憶部３７は、各携帯電話Ａ、Ｂに登録されているアドレス情報を記憶する。
【００４６】
次に、以上のように構成されるハンズフリー通話装置であるナビゲーション装置１１の動作について説明する。
【００４７】
先ず、ナビゲーション装置１１による経路探索の動作について簡単に説明する。ユーザが、操作部２２を用いて出発地、経由地及び目的地を入力すると、経路探索部１６は、地図情報記憶部１７に記憶されている地図情報に基づき、出発地から経由地を経由して目的地までの最適な案内経路を探索し、その案内経路を地図画像とともに表示部２３に表示する。また、表示部２３には、現在位置検出部１５により検出された車両１０の現在位置が案内経路とともに表示される。ユーザは、表示されたこれらの情報に従い、目的地まで容易に移動することが可能となる。
【００４８】
次に、ナビゲーション装置１１を用いてハンズフリー通話を行う場合につき、図４〜図６のフローチャートに従って説明する。
【００４９】
ハンズフリー通話を行うためには、ハンズフリー通話を行う携帯電話Ａ、Ｂがナビゲーション装置１１に事前に登録されており、且つ、その携帯電話Ａ、Ｂとナビゲーション装置１１とが接続可能な状態である必要がある。この場合、「接続可能な状態」とは、携帯電話Ａ、Ｂの近距離無線通信部３６がナビゲーション装置１１の近距離無線通信部２１と通信可能な状態（例えば、ハンズフリー設定がＯＮの状態）に設定されていることをいう。
【００５０】
ナビゲーション装置１１の電源がＯＮとされると、制御部１４は、携帯電話登録情報記憶部１９に登録されている携帯電話Ａ、Ｂが、ナビゲーション装置１１の近傍に存在するか否かの探索処理を開始する（ステップＳ１０１）。なお、携帯電話Ａ、Ｂの登録は、図７に示すメニュー画面の「設定」ボタンを選択して事前に登録を行うことができる。図８は、登録された携帯電話の一覧を示しており、図８では、４台の携帯電話が登録されている場合を例示する。
【００５１】
なお、以下の説明では、２台の携帯電話Ａ、Ｂがナビゲーション装置１１に登録されているものとして説明する。
【００５２】
先ず、制御部１４は、登録されている携帯電話Ａがナビゲーション装置１１の近傍、例えば、車両１０内にあるか否かを探索する（ステップＳ１０２）。この場合、ナビゲーション装置１１の近距離無線通信部２１は、所定の範囲内にある周辺機器からの信号を待ち受ける状態にあり、近距離無線通信部２１が周辺機器から信号を受信すると、制御部１４は、その信号に含まれる情報（識別情報）と、携帯電話登録情報記憶部１９に登録されている携帯電話Ａの登録情報とを照合し、受信した信号が携帯電話Ａからの信号であると判定すると（ステップＳ１０３、ＹＥＳ）、携帯電話Ａがナビゲーション装置１１の近傍に存在するものとして、その存在情報を制御部１４のＲＡＭ２８に一時的に記憶させ（ステップＳ１０４）。ステップＳ１０５の処理へ進む。
【００５３】
なお、ステップＳ１０３の処理で、携帯電話Ａがナビゲーション装置１１の近傍に存在しないと判定した場合は、ステップＳ１０４の処理を行わずしてステップＳ１０５の処理へ進む。
【００５４】
ステップＳ１０５の処理では、制御部１４は、登録されている携帯電話Ｂがナビゲーション装置１１の近傍、例えば、車両１０内にあるか否かを探索する（ステップＳ１０５）。受信した信号が携帯電話Ｂからの信号であると判定すると（ステップＳ１０６、ＹＥＳ）、携帯電話Ｂがナビゲーション装置１１の近傍に存在するものとして、その存在情報を制御部１４のＲＡＭ２８に一時的に記憶させ（ステップＳ１０７）、ステップＳ１０８の処理へ進む。
【００５５】
なお、ステップＳ１０６の処理で、携帯電話Ｂがナビゲーション装置１１の近傍に存在しないと判定した場合は、ステップＳ１０７の処理を行わずしてステップＳ１０８の処理へ進む。
【００５６】
ステップＳ１０３及びＳ１０６における判定結果において、ナビゲーション装置１１の近傍に登録されている携帯電話Ａ、Ｂのいずれか一方のみが存在し、あるいは、いずれも存在しない場合（ステップＳ１０８、ＮＯ）、図５に示すステップＳ２０１の処理に移行する。
【００５７】
ナビゲーション装置１１の近傍に携帯電話Ａのみが存在する場合（ステップＳ２０１、ＹＥＳ）、ナビゲーション装置１１は、携帯電話Ａをハンズフリー通話可能な端末として接続する（ステップＳ２０２）。また、ナビゲーション装置１１の近傍に携帯電話Ｂのみが存在する場合（ステップＳ２０３、ＹＥＳ）、ナビゲーション装置１１は、携帯電話Ｂをハンズフリー通話可能な端末として接続する（ステップＳ２０４）。さらに、ナビゲーション装置１１の近傍にいずれの携帯電話Ａ、Ｂも存在しない場合には（ステップＳ２０３、ＮＯ）、ステップＳ１０２の処理に戻り、再び携帯電話Ａ、Ｂの探索処理を行うことになる。
【００５８】
次に、携帯電話Ａ、Ｂのいずれか一方がナビゲーション装置１１に接続されている場合おいて、接続されている携帯電話Ａ、Ｂとの通信が維持できる状態か否かを判定する（ステップＳ２０５）。例えば、接続されている携帯電話Ａを所持したユーザが車両１０の外に移動し、携帯電話Ａとの通信ができないと判定されたとき（ステップＳ２０５、ＮＯ）、制御部１４は、他の携帯電話Ｂとの通信が可能か否かを判定する（ステップＳ２０６）。他の携帯電話Ｂとの通信が可能と判定されたとき（ステップＳ２０６、ＹＥＳ）、制御部１４は、接続先を携帯電話Ｂに切り替える（ステップＳ２０７）。他の携帯電話Ｂとも通信ができない場合には（ステップＳ２０６、ＮＯ）、ステップＳ１０２の処理に戻り、再び携帯電話Ａ、Ｂの探索処理を行うことになる。
【００５９】
また、ステップＳ２０５において、接続されている何れかの携帯電話Ａ、Ｂと通信を維持できる状態であると判定した場合には、その携帯電話Ａ、Ｂとのハンズフリー接続を維持し、ナビゲーション装置１１の電源がＯＦＦにされたとき（ステップＳ２０８、ＹＥＳ）、ハンズフリー接続を終了する。
【００６０】
一方、ステップＳ１０３及びＳ１０６における判定結果において、ナビゲーション装置１１の近傍に登録されている携帯電話Ａ、Ｂの両方が存在する場合（ステップＳ１０８、ＹＥＳ）、携帯電話Ａがナビゲーション装置１１との間でハンズフリー接続を行なう端末として事前に設定されている場合であれば（ステップＳ１０９、ＹＥＳ）、携帯電話Ａをナビゲーション装置１１に接続し（ステップＳ１１０）、携帯電話Ｂがナビゲーション装置１１との間でハンズフリー接続を行なう端末として事前に設定されている場合であれば（ステップＳ１０９、ＮＯ）、携帯電話Ｂをナビゲーション装置１１に接続する（ステップＳ１１１）。
【００６１】
このようにして、携帯電話Ａ又はＢをナビゲーション装置１１に接続した後、外部の携帯電話Ｃからの着信を待つ。以下、携帯電話Ａがナビゲーション装置１１に接続されているものとして説明する。
【００６２】
そこで、携帯電話Ｃから番号通知を伴う着信が接続されている携帯電話Ａに有ると（ステップＳ３０１、ＹＥＳ、図６）、携帯電話Ａは、番号通知を含む着信情報を近距離無線通信部３６からナビゲーション装置１１の近距離無線通信部２１に送信する。
【００６３】
ナビゲーション装置１１のアドレス情報検索部２０は、携帯電話Ａから受信した着信情報に含まれる携帯電話Ｃの識別情報と、アドレス情報記憶部１８に記憶されている携帯電話Ａのアドレス情報の識別情報とを照合する。照合の結果、携帯電話Ｃの識別情報に対応するアドレス情報が検索された場合（ステップＳ３０２、ＹＥＳ）、携帯電話Ｃのアドレス情報を表示部２３に表示するとともに、必要に応じて、スピーカ２５を駆動して音声により携帯電話Ｃのアドレス情報をユーザに報知する（ステップＳ３０３）。なお、報知されるアドレス情報は、例えば、アドレス情報記憶部１８に記憶されている携帯電話Ｃの所有者の名前とすることができる。ユーザは、報知されたアドレス情報に従い、誰から着信があったのかを確認することができる。
【００６４】
一方、携帯電話Ｃの識別情報に対応するアドレス情報が、携帯電話Ａのアドレス情報から検索できない場合（ステップＳ３０２、ＮＯ）、アドレス情報検索部２０は、携帯電話Ｂにアドレス情報を要求して、携帯電話Ｂのアドレス情報を取得し（ステップＳ３０４）、着信情報に含まれる携帯電話Ｃの識別情報と、取得した携帯電話Ｂのアドレス情報の識別情報とを照合する。照合の結果、携帯電話Ｃの電話番号に対応するアドレス情報が検索された場合（ステップＳ３０５、ＹＥＳ）、検索された携帯電話Ｃのアドレス情報を表示部２３に表示するとともに、必要に応じて、スピーカ２５を駆動して音声により携帯電話Ｃのアドレス情報をユーザに報知する（ステップＳ３０３）。
【００６５】
このようにして、例えば、携帯電話Ａのアドレス情報が更新されておらず、携帯電話Ｃのアドレス情報を検索できない場合であっても、他の携帯電話Ｂのアドレス情報を用いて携帯電話Ｃのアドレス情報を取得して報知することができる。
【００６６】
ユーザは、番号通知を伴う携帯電話Ｃからの着信に従って報知されたアドレス情報に基づき、着信に応答するか否かを判断することができる。ユーザが着信に応答した場合（ステップＳ３０６、ＹＥＳ）、ナビゲーション装置１１を介したハンズフリー通話を行うことができる（ステップＳ３０７）。この場合、ナビゲーション装置１１のマイク２４に入力されたユーザの音声は、近距離無線通信部２１から接続されている携帯電話Ａの近距離無線通信部３６に音声信号として送信された後、通話送受信部３５から外部の携帯電話Ｃに送信される。一方、外部の携帯電話Ｃからの音声信号は、携帯電話Ａの通話送受信部３５により受信された後、近距離無線通信部３６からナビゲーション装置１１の近距離無線通信部２１に送信され、次いで、ナビゲーション装置１１のスピーカ２５から相手方の音声が出力される。
【００６７】
また、ユーザが着信に応答せず（ステップＳ３０６、ＮＯ）、そのまま着信を終了させることもできる（ステップＳ３０８、ＹＥＳ）。
【００６８】
通話終了後（ステップＳ３０７、ＹＥＳ）、または着信応答をしなかった後（ステップＳ３０８、ＹＥＳ）、ナビゲーション装置１１の電源がＯＦＦにされると、ハンズフリー接続が終了する（ステップＳ３０９）。
【００６９】
なお、本発明は、上述した実施例に限定されるものではなく、本発明の要旨を逸脱しない範囲で変更することが可能である。
【００７０】
例えば、携帯電話Ａのアドレス情報は、携帯電話Ａから読み込んでナビゲーション装置１１のアドレス情報記憶部１８に記憶させているものとして説明したが、携帯電話Ａ、Ｂがナビゲーション装置１１に接続可能な状態にあるのであれば、携帯電話Ｃから着信があった時点で、各携帯電話Ａ、Ｂからアドレス情報を読み込み、そのアドレス情報に含まれる電話番号と携帯電話Ｃの電話番号とを照合するようにしてもよい。また、携帯電話Ｂのアドレス情報は、携帯電話Ｃのアドレス情報を検索できない場合、携帯電話Ｂにアドレス情報を要求するものとして説明したが、アドレス情報記憶部１８に携帯電話Ｂのアドレス情報を記憶させておき、アドレス情報記憶部１８に携帯電話Ｂのアドレス情報を要求して取得するようにしてもよい。
【００７１】
また、ハンズフリー通話装置としては、車両１０に搭載されるナビゲーション装置１１に限られるものではなく、端末と通信可能なものであれば、パソコンを含む種々の装置を適用することができる。また、ハンズフリー通話装置に接続される端末としては、外部の端末と通信を行うものであれば、携帯電話Ａ、Ｂ以外の通信機器でもよい。
【符号の説明】
【００７２】
１０・・・車両
１１・・・ナビゲーション装置
１４、３０・・・制御部
１５・・・現在位置検出部
１６・・・経路探索部
１７・・・地図情報記憶部
１８、３７・・・アドレス情報記憶部
１９・・・携帯端末登録情報記憶部
２０・・・アドレス情報検索部
２１、３６・・・近距離無線通信部
２２、３１・・・操作部
２３、３２・・・表示部
２４、３３・・・マイク
２５、３４・・・スピーカ
３５・・・通話送受信部
Ａ〜Ｃ・・・携帯電話
【図１】
2012160842.tif 000003
【図２】
2012160842.tif 000004
【図３】
2012160842.tif 000005
【図４】
2012160842.tif 000006
【図５】
2012160842.tif 000007
【図６】
2012160842.tif 000008
【図７】
2012160842.tif 000009
【図８】
2012160842.tif 000010